(57)【要約】【課題】スチーム式ヘアケア装置の提供。【解決手段】洗髪用リクライニングシートの後端に連接される水槽を具え、該水槽に人体頭部を仰臥状態で水平に進入させられ、透明遮蔽物が水槽の上端開口周縁に設置され、該透明遮蔽物の前側に切欠きが設けられて人体顔部を露出させるのに供され、外界に設けられたスチーム発生器が組み合わされ、外界スチーム発生器の電熱式容器内部の水液を加熱して生成されたスチームがスチーム送出導管で水槽の上端開口内に進入し、スチームにより頭髪とコンディショナーを加熱し、最良の頭髪保護効果を達成する。人体が仰臥した状態で直接洗髪、スチームによるヘアコンディショニング及び最後の洗浄プロセスを行なえ、迅速に洗髪とヘアコンディショニングが完成し、便利で快適である。【選択図】　　　　図３
0003098825.tif 000002
【実用新案登録請求の範囲】
【請求項１】
洗髪用リクライニングシートの後縁に連接され、水槽が設置され、人体頭部を仰臥した状態で該水槽内に進入させられるスチーム式ヘアケア装置において、透明遮蔽物が該水槽の上端の開口周縁を被覆するように設けられ、透明遮蔽物の前側に人体の顔部を露出させるための切欠きが設けられ、外界にスチーム発生器が設けられ、該スチーム発生器に内部の水液を加熱してスチームを発生させる電熱式容器が設けられ、該容器に連結された導管が該水槽の上端開口内に進入してスチームを水槽内に送り、スチームにより人体の頭髪及び頭髪に塗られたコンディショナーを加熱するのに供されることを特徴とする、スチーム式ヘアケア装置。
【請求項２】
請求項１記載のスチーム式ヘアケア装置において、透明遮蔽物が透明軟質フレキシブルプラスチックシートとされたことを特徴とする、スチーム式ヘアケア装置。
【請求項３】
請求項１記載のスチーム式ヘアケア装置において、透明遮蔽物が透明プラスチックカバーとされたことを特徴とする、スチーム式ヘアケア装置。
【請求項４】
請求項３記載のスチーム式ヘアケア装置において、透明プラスチックカバーの後部にスチーム発生器の導管の水槽内への貫通に供される貫通孔が設けられたことを特徴とする、スチーム式ヘアケア装置。
【請求項５】
請求項３記載のスチーム式ヘアケア装置において、透明プラスチックカバーの上壁に排気孔が設けられたことを特徴とする、スチーム式ヘアケア装置。
【請求項６】
請求項５記載のスチーム式ヘアケア装置において、透明プラスチックカバーの排気孔に可動蓋が設けられたことを特徴とする、スチーム式ヘアケア装置。
【請求項７】
請求項１記載のスチーム式ヘアケア装置において、電熱式容器内部の水液に薬草粉末或いは香草粉末が添加されたことを特徴とする、スチーム式ヘアケア装置。
【請求項８】
請求項１記載のスチーム式ヘアケア装置において、水槽のベース側壁に凹室が設けられ、該凹室にスチーム発生器が設置されたことを特徴とする、スチーム式ヘアケア装置。
【考案の詳細な説明】
【０００１】
【考案の属する技術分野】
本考案は一種のスチーム式ヘアケア装置に係り、特に洗髪用リクライニングシートに結合されるスチーム式ヘアケア装置に関する。
【０００２】
【従来の技術】
人体の頭髪は一般に洗髪で清潔が保持されるほか、定期的にコンディショナーによるヘアコンディショニングを行なうことで髪に十分な潤いを与え、柔らかな光沢を与え、毛嚢を活性化させることができる。
【０００３】
現在美容院或いは理容院での洗髪及びヘアコンディショニングのプロセスにおいて、まずシャンプーで頭髪を洗浄し、その後、水ですすぐ。さらに頭髪を乾かした後、頭髪に均一にコンディショナー、例えば海草エキス、アロエエキス、深海ミネラル水、フルーツ酸、ホホバオイル、クエン酸及び乳酸等を塗布し、その後、理容用椅子に移り、スチームキャップ等を頭部に被せ、スチームで頭髪及びコンディショナーを加熱し、頭髪に十分にコンディショナーを浸透させ、最後に洗髪用リクライニングシートに移動し、水で頭髪を洗浄する。
【０００４】
このようなシャンプー、スチーム式ヘアコンディショニング、及び洗浄等のプロセスにおいては頻繁に理容用椅子とリクライニングシートの間を往復しなければならず、不便であり、且つ頭髪の水滴があちこちに落ちるため環境に影響を与える。且つ座ってスチーム式ヘアコンディショニングを行なう時、十分に快適でなく、改善の必要がある。
【０００５】
【考案が解決しようとする課題】
本考案の目的は、一種のスチーム式ヘアケア装置を提供することにあり、それは、人体が仰臥した状態で、直接洗髪、スチーム式ヘアコンディショニング、及び最後の洗浄プロセスを行なえ、迅速に確実に洗髪及びスチーム式ヘアコンディショニングが行なえ、便利で快適であり、並びに同時にアロマテラピーも行なえ、実際の使用要求に符合する装置であるものとする。
【０００６】
【課題を解決するための手段】
請求項１の考案は、洗髪用リクライニングシートの後縁に連接され、水槽が設置され、人体頭部を仰臥した状態で該水槽内に進入させられるスチーム式ヘアケア装置において、透明遮蔽物が該水槽の上端の開口周縁を被覆するように設けられ、透明遮蔽物の前側に人体の顔部を露出させるための切欠きが設けられ、外界にスチーム発生器が設けられ、該スチーム発生器に内部の水液を加熱してスチームを発生させる電熱式容器が設けられ、該容器に連結された導管が該水槽の上端開口内に進入してスチームを水槽内に送り、スチームにより人体の頭髪及び頭髪に塗られたコンディショナーを加熱するのに供されることを特徴とする、スチーム式ヘアケア装置としている。
請求項２の考案は、請求項１記載のスチーム式ヘアケア装置において、透明遮蔽物が透明軟質フレキシブルプラスチックシートとされたことを特徴とする、スチーム式ヘアケア装置としている。
請求項３の考案は、請求項１記載のスチーム式ヘアケア装置において、透明遮蔽物が透明プラスチックカバーとされたことを特徴とする、スチーム式ヘアケア装置としている。
請求項４の考案は、請求項３記載のスチーム式ヘアケア装置において、透明プラスチックカバーの後部にスチーム発生器の導管の水槽内への貫通に供される貫通孔が設けられたことを特徴とする、スチーム式ヘアケア装置としている。
請求項５の考案は、請求項３記載のスチーム式ヘアケア装置において、透明プラスチックカバーの上壁に排気孔が設けられたことを特徴とする、スチーム式ヘアケア装置としている。
請求項６の考案は、請求項５記載のスチーム式ヘアケア装置において、透明プラスチックカバーの排気孔に可動蓋が設けられたことを特徴とする、スチーム式ヘアケア装置としている。
請求項７の考案は、請求項１記載のスチーム式ヘアケア装置において、電熱式容器内部の水液に薬草粉末或いは香草粉末が添加されたことを特徴とする、スチーム式ヘアケア装置としている。
請求項８の考案は、請求項１記載のスチーム式ヘアケア装置において、水槽のベース側壁に凹室が設けられ、該凹室にスチーム発生器が設置されたことを特徴とする、スチーム式ヘアケア装置としている。
【０００７】
【考案の実施の形態】
本考案のスチーム式ヘアケア装置は、洗髪用リクライニングシートの後端に連接される水槽を具え、該水槽に人体頭部を仰臥状態で水平に進入させられ、透明遮蔽物が水槽の上端開口周縁に設置され、該透明遮蔽物の前側に切欠きが設けられて人体顔部を露出させるのに供され、外界に設けられたスチーム発生器が組み合わされ、外界スチーム発生器の電熱式容器内部の水液を加熱して生成されたスチームがスチーム送出導管で水槽の上端開口内に進入し、スチームにより頭髪とコンディショナーを加熱する。
【０００８】
好ましい実施例において、該透明遮蔽物は透明プラスチックカバー或いは透明軟質フレキシブルプラスチックシートがプラスチックカバーの上壁に排気孔とその可動蓋が設けられている。
【０００９】
好ましい実施例において、該スチーム発生器は水槽ベースの側壁凹室内に設置され、並びに電熱式容器内部の水液中に薬草或いは香草類の粉末が添加される。
【００１０】
【実施例】
図１、２、３に示されるように、本考案のスチーム式ヘアケア装置は、基本的に洗髪用リクライニングシート１０を具え、このリクライニングシート１０はベース１３上に長形のリクライニングマット１１と両側のアームレスト１２を取り付けてなり、該リクライニングシート１０の後縁に水槽２０が連接されている。図示される水槽２０の上端には大型の開口２１が形成され、且つその前縁に凹口２２と隣接受部２３が設けられ、開口２１の後縁に蛇口２４及びシャワーヘッド２５が取り付けられ、水槽２０内部に排水口とその管路が設けられている。
【００１１】
スチーム発生器５０は、その底部のサポートフレーム５５で地面上に支持され、このスチーム発生器５０は水液を収容する容器５１と、容器５１内部に配置された螺旋状の電熱棒５２、及び紫外線殺菌ランプを具え、スイッチ５４により制御されて水液を加熱してスチームを発生させ、さらに導管５３でスチームを送出する。並びにスチーム発生器５０は温度コントローラ、タイマー及び加熱終了時を知らせる音声アラーム装置を具え、実際の操作、使用の必要に符合するものとされている。
【００１２】
透明遮蔽物は図３、４に示される透明プラスチックカバー３０か、或いは図５に示される透明軟質フレキシブルプラスチックシート４０がが採用され、水槽２０の上端開口２１周縁を被覆するように設置され、且つ透明プラスチックカバー３０及び透明軟質フレキシブルプラスチックシート４０の前側中央にはいずれも切欠き３１、４１が設けられ、人体６０の顔部を露出させる。透明プラスチックカバー３０と透明軟質フレキシブルプラスチックシート４０の後部に貫通孔３２が設けられて、スチーム発生器５０の導管５３が内向きに貫通して水槽２０の開口２１内に進入している。別に透明プラスチックカバー３０の上壁に複数の排気孔３３が設けられてスチーム温度が過高となるのを防止している。
【００１３】
図４の使用状態において、人体６０をリクライニングシート１０のリクライニングマット１１の上に仰臥させ、並びに頭部を仰臥させた状態で水槽２０内に進入させる。まず、頭髪６１を洗浄し、その後、頭髪６１に均一にコンディショナーを塗布する。この時、スチーム発生器５０の導管５３は水槽２０の開口２１内に進入し、並びに上述の透明プラスチックカバー３０により被覆されている。スチーム発生器５０を起動すると、迅速に容器５１中の水液が加熱されてスチームが発生し、このスチームが導管５３で水槽２０中に送られ、スチーム（図中、矢印で示されている）により、頭髪６１及びコンディショナーが加熱され、並びに加熱により頭皮が清潔とされ、人体の頭皮と頭髪６１に十分にコンディショナー原料のエッセンスが吸収され、最良のヘアケア効果が達成される。
【００１４】
人体６０が仰臥状態下で直接洗髪、スチーム式ヘアコンディショニング、及び最後の洗浄過程が行なえ、並びにスチーム式コンディショニングの過程で、電熱式の容器５１の水液中に薬草或いは香草類の粉末を添加することにより、アロマテラピーを行なえる。
【００１５】
図６に示される実施例では、リクライニングシート１０及び水槽２０のベース１３の側壁に凹室１４が設けられて、直接スチーム発生器５００が設置されている。透明プラスチックカバー３００の上壁の排気孔３３０には開孔サイズを調整できる可動蓋３４０が設けられ、スチーム温度が過高となるのを防止する。
【００１６】
【考案の効果】
総合すると、本考案のスチーム式ヘアケア装置は、人体が仰臥した状態下で直接洗髪、スチーム式ヘアコンディショニング、及び最後の洗浄過程が行なえ、確実に洗髪とスチーム式ヘアコンディショニングが行なえ、便利で快適であり、並びに同時にアロマテラピーを進行することができ、実際の使用需要に符合する。
【図面の簡単な説明】
【図１】本考案の実施例に採用されたリクライニングシート及び水槽の斜視図である。
【図２】図１のリクライニングシートと水槽にスチーム発生器が結合された表示図である。
【図３】図２の使用状態図である。
【図４】図３でスチーム式ヘアコンディショニングを行なう動作図である。
【図５】本考案の別の実施例の使用状態図である。
【図６】本考案の更に別の実施例の表示図である。
【符号の説明】
１０　リクライニングシート　　　　１１　リクライニングマット
１２　アームレスト　　　　　　　　１３　ベース
１４　凹室　　　　　　　　　　　　２０　水槽
２１　開口　　　　　　　　　　　　２２　凹口
２３　受部　　　　　　　　　　　　２４　蛇口
２５　シャワーヘッド　　　　　　　３０　透明プラスチックカバー
３１　切欠き　　　　　　　　　　　３２　貫通孔
３３　排気孔　　　　　　　　　　　３００　透明プラスチックカバー
３３０　排気孔　　　　　　　　　　３４０　可動蓋
４０　透明軟質フレキシブルプラスチックシート　　４１　切欠き
５０　スチーム発生器　　　　　　　５１　容器
５２　電熱棒　　　　　　　　　　　５３　導管
５４　スイッチ　　　　　　　　　　５５　サポートフレーム
５００　スチーム発生器　　　　　　６０　人体
６１　頭髪
【図１】
0003098825.tif 000003
【図２】
0003098825.tif 000004
【図３】
0003098825.tif 000005
【図４】
0003098825.tif 000006
【図５】
0003098825.tif 000007
【図６】
0003098825.tif 000008